(57)【要約】【課題】被収納物の出し入れを簡単に行うことができると共に、吊戸棚本体の前面開口部側のスペースを有効に利用することができる使い勝手の良い吊戸棚を提供する。【解決手段】吊戸棚本体１１の前面開口部１１ａに開き扉１６，１７を開閉自在に取り付け、吊戸棚本体１１内に昇降棚２０を収納自在にすると共に、昇降棚２０を吊戸棚本体１１から下方に引き出し自在にした吊戸棚１０において、一方の開き扉１７の裏面１７ａに昇降棚２０を昇降動自在に取り付けた。【選択図】図１
2007313227.tif 000002
【特許請求の範囲】
【請求項１】
吊戸棚本体の前面開口部に扉を取り付け、前記吊戸棚本体内に昇降棚を収納自在にすると共に、該昇降棚を前記吊戸棚本体から下方に引き出し自在にした吊戸棚において、
前記扉の裏面に前記昇降棚を昇降動自在に取り付けたことを特徴とする吊戸棚。
【請求項２】
請求項１記載の吊戸棚であって、
前記吊戸棚本体を背板と両側板と天板及び底板とで前面開口部を有した箱形に形成し、前記底板の奥行き寸法を前記両側板の奥行き寸法より短く形成し、これら底板と両側板とで形成される下面前側開口部から前記昇降棚を下方に引き出し自在にしたことを特徴とする吊戸棚。
【請求項３】
請求項２記載の吊戸棚であって、
前記昇降棚の下部に水平棚を着脱自在に取り付け、前記昇降棚の収納時に前記底板の前方に前記水平棚を位置させる一方、これら水平棚と底板との間に防虫部材を介在したことを特徴とする吊戸棚。
【請求項４】
請求項１項に記載の吊戸棚であって、
前記吊戸棚本体内に他の昇降棚を収納自在にすると共に、該他の昇降棚を前記吊戸棚本体から下方に引き出し自在にしたことを特徴とする吊戸棚。
【請求項５】
請求項２記載の吊戸棚であって、
前記昇降棚を背板と両側板と天板及び底板とで箱形に形成し、この箱形の昇降棚の収納時に前記吊戸棚本体の底板の前方に該昇降棚の底板を位置させる一方、これら昇降棚の底板と吊戸棚本体の底板との間に防虫部材を介在したことを特徴とする吊戸棚。
【発明の詳細な説明】
【技術分野】
【０００１】
本発明は、システムキッチン等の上部に配置される吊戸棚に関する。
【背景技術】
【０００２】
この種の吊戸棚として、図９に示すものがある（例えば、特許文献１参照。）。
【０００３】
この吊戸棚１は、図９に示すように、箱形の吊戸棚本体２の前面開口部２ａを開閉自在に閉塞する両開き扉３を備えている。また、吊戸棚本体２の下面後側開口部２ｂには前方が開口した箱形の昇降棚４を下方に引き出し自在に取り付けてある。
【０００４】
【特許文献１】実開昭５７−１２０４５号公報
【０００５】
【特許文献２】特開２００４−２０８９３８号公報
【発明の開示】
【発明が解決しようとする課題】
【０００６】
しかしながら、前記従来の吊戸棚１では、吊戸棚本体２が高い位置にあると共に、垂直方向に上下動する昇降棚４が吊戸棚本体２の奥側に付いているため、昇降棚４まで手を伸ばしても届かない場合に、椅子等を使って被収納物を出し入れすることが多く、使い勝手が悪かった。また、吊戸棚本体２の前面開口部２ａを開閉する両開き扉３の場合、該両開き扉３を開閉させるためのヒンジが必要不可欠なため、このヒンジに干渉しないように、棚板等の奥行きを短く設定する場合があり、吊戸棚本体２の前面開口部２ａ側にデットスペースが発生した。
【０００７】
そこで、本発明は、前記した課題を解決すべくなされたものであり、被収納物の出し入れを簡単に行うことができると共に、吊戸棚本体の前面開口部側のスペースを有効に利用することができる使い勝手の良い吊戸棚を提供することを目的とする。
【課題を解決するための手段】
【０００８】
請求項１の発明は、吊戸棚本体の前面開口部に扉を取り付け、前記吊戸棚本体内に昇降棚を収納自在にすると共に、該昇降棚を前記吊戸棚本体から下方に引き出し自在にした吊戸棚において、前記扉の裏面に前記昇降棚を昇降動自在に取り付けたことを特徴とする。
【０００９】
請求項２の発明は、請求項１記載の吊戸棚であって、前記吊戸棚本体を背板と両側板と天板及び底板とで前面開口部を有した箱形に形成し、前記底板の奥行き寸法を前記両側板の奥行き寸法より短く形成し、これら底板と両側板とで形成される下面前側開口部から前記昇降棚を下方に引き出し自在にしたことを特徴とする。
【００１０】
請求項３の発明は、請求項２記載の吊戸棚であって、前記昇降棚の下部に水平棚を着脱自在に取り付け、前記昇降棚の収納時に前記底板の前方に前記水平棚を位置させる一方、これら水平棚と底板との間に防虫部材を介在したことを特徴とする。
【００１１】
請求項４の発明は、請求項１項に記載の吊戸棚であって、前記吊戸棚本体内に他の昇降棚を収納自在にすると共に、該他の昇降棚を前記吊戸棚本体から下方に引き出し自在にしたことを特徴とする。
【００１２】
請求項５の発明は、請求項２記載の吊戸棚であって、前記昇降棚を背板と両側板と天板及び底板とで箱形に形成し、この箱形の昇降棚の収納時に前記吊戸棚本体の底板の前方に該昇降棚の底板を位置させる一方、これら昇降棚の底板と吊戸棚本体の底板との間に防虫部材を介在したことを特徴とする。
【発明の効果】
【００１３】
以上説明したように、請求項１の発明によれば、扉の裏面に昇降棚を昇降動自在に取り付けたことにより、扉の裏面から昇降棚を下方に引き出した状態で、被収納物を簡単に出し入れすることができ、使い勝手が良い。また、扉の裏面に昇降棚を昇降動自在に取り付けたことにより、吊戸棚本体の前面開口部側のスペースを有効に利用することができる。
【００１４】
請求項２の発明によれば、吊戸棚本体を背板と両側板と天板及び底板とで前面開口部を有した箱形に形成し、底板の奥行き寸法を両側板の奥行き寸法より短く形成し、これら底板と両側板とで形成される下面前側開口部から昇降棚を下方に引き出し自在にしたことにより、吊戸棚本体の下面前側開口部から昇降棚を下方に引き出した状態で、被収納物を簡単に出し入れすることができ、使い勝手が非常に良い。また、吊戸棚本体の下面前側開口部から昇降棚を下方に引き出し自在にしたことにより、吊戸棚本体の下面前側開口部のスペースを有効に利用することができる。
【００１５】
請求項３の発明によれば、昇降棚の下部に水平棚を着脱自在に取り付け、昇降棚の収納時に底板の前方に水平棚を位置させる一方、これら水平棚と底板との間に防虫部材を介在したことにより、吊戸棚本体内にゴキブリ等の害虫が侵入するのを確実に防止することができる。
【００１６】
請求項４の発明によれば、吊戸棚本体内に他の昇降棚を収納自在にすると共に、該他の昇降棚を吊戸棚本体から下方に引き出し自在にしたことにより、吊戸棚本体内のスペースをより有効に利用することができ、大量の被収納物を簡単に出し入れすることができ、使い勝手が非常に良い。
【００１７】
請求項５の発明によれば、昇降棚を背板と両側板と天板及び底板とで箱形に形成し、この箱形の昇降棚の収納時に吊戸棚本体の底板の前方に該昇降棚の底板を位置させる一方、これら昇降棚の底板と吊戸棚本体の底板との間に防虫部材を介在したことにより、吊戸棚本体内及び箱形の昇降棚内にゴキブリ等の害虫が侵入するのを確実に防止することができる。
【発明を実施するための最良の形態】
【００１８】
以下、本発明の実施形態を図面に基づいて説明する。
【００１９】
図１は本発明の実施形態の吊戸棚を示す斜視図、図２は同吊戸棚に用いられる昇降棚の斜視図、図３は同昇降棚の正面図、図４は同昇降棚の側面図、図５は同昇降棚に用いられるロック機構の説明図、図６は同吊戸棚の断面図、図７は同吊戸棚から他の昇降棚を引き出した状態を示す断面図である。
【００２０】
図１及び図６に示すように、吊戸棚１０は、システムキッチン等の上部に配置される吊戸棚本体（キャビネット）１１を備えている。この吊戸棚本体１１は、背板１２と両側板１３，１３と天板１４及び底板１５とで前面開口部１１ａを有した箱形に形成してある。そして、両側板１３，１３の前端には、前面開口部１１ａを閉塞する両開き扉１６，１７をヒンジ１８を介して開閉自在に取り付けてある。また、底板１５の奥行き寸法は両側板１３，１３の奥行き寸法より短く形成してあり、これら両側板１３，１３と底板１５とで下面前側開口部１１ｂを形成してある。
【００２１】
図１、図２、図６に示すように、一方の開き扉１７の裏面１７ａに昇降棚２０を昇降動自在に取り付けてある。この昇降棚２０は上昇時に箱形の吊戸棚本体１１内に収納自在になっている。また、昇降棚２０は、吊戸棚本体１１の下面前側開口部１１ｂから下方に引き出し自在になっている。
【００２２】
図１〜図４に示すように、昇降棚２０は枠状の昇降棚本体２１を備えている。この昇降棚本体２１はＵ字状のグリップハンドル２２を介して矩形板状のスライダ２３に固定されている。このスライダ２３は後述するスライドレール２６に沿って昇降動するようになっている。また、一方の開き扉１７の裏面１７ａの中央には、矩形板状のベース２４をネジ止めにより固定してある。このベース２４の中央には両側に歯部２５ａ，２５ａを有したラックギヤ２５とスライドレール２６を積層してネジ止めにより固定してある。さらに、ベース２４の上端にはコ字形のブラケット２７を取り付けてあり、このブラケット２７にはリール２８を回転自在に支持してある。このリール２８には金属製のバネ板２９の一端を固定して巻き回してあり、該バネ板２９の他端２９ｂはスライダ２３に固定してある。このバネ板２９によりスライダ２３及び昇降棚本体２１は上方に付勢された状態で吊り下げられている。
【００２３】
また、図４，図５に示すように、スライダ２３の裏面２３ａにはラックギヤ２５を挟むように一対のストッパ３１，３１の中央部３１ａを各軸３３を介して揺動自在に支持してある。この各ストッパ３１はＬ字形に形成してあり、その先端にラックギヤ２５の各歯部２５ａに係止、離脱される係止爪部３１ｂを一体突出形成してある。さらに、各ストッパ３１の基端部３１ｃにはＵ字形のストッパハンドル３２の両端をピン枢支してある。このストッパハンドル３２の両端部には圧縮コイルバネ３４をそれぞれ介装してある。この各圧縮コイルバネ３４により各ストッパ３１の係止爪部３１ｂがラックギヤ２５の各歯部２５ａに常時係止するように押し付けられている。
【００２４】
さらに、図２、図３、図５に示すように、Ｕ字状のストッパハンドル３２は昇降棚本体２１の裏面においてＵ字状のグリップハンドル２２の内側に配置されている。そして、グリップハンドル２２とストッパハンドル３２を一緒に握ると、ストッパハンドル３２が下方（図３及び図４中矢印の方向）に押し下げられ、ラックギヤ２５の各歯部２５ａとストッパ３１の係止爪部３１ｂとの係止状態（ロック状態）が解除されるようになっている。これらラックギヤ２５とストッパ３１とストッパハンドル３２及び圧縮コイルバネ３４とでロック機構３０が構成されている。
【００２５】
図１〜図３に示すように、昇降棚本体２１は、棒状で四角環状の外枠２１ａと、この外枠２１ａの両側部の裏側に所定間隔毎に複数本固定された棒状の水平枠２１ｂとで略格子状に形成されている。また、昇降棚本体２１の外枠２１ａの下部には水平棚３５を着脱自在に取り付けてある。この水平棚３５は、図６に示すように、昇降棚本体２１の収納時に吊戸棚本体１１の底板１５の前方に位置するようになっている。さらに、水平棚３５と底板１５との間に防虫部材１９を介在してある。即ち、吊戸棚本体１１の底板１５の前端面には防虫部材１９を接着剤等により固定してある。
【００２６】
図１、図６、図７に示すように、吊戸棚本体１１内には他の昇降棚４０を収納してある。この昇降棚４０は、吊戸棚本体１１の前面開口部１１ａから一対のリンク機構５０，５０を介して下方に引き出し自在になっている。昇降棚４０は背板４２と両側板４３，４３と天板４４及び底板４５とで前面を開口させた箱形に形成してあり、両側板４３，４３間に掛け渡された複数の水平棚４１等により仕切られている。また、図６及び図７に示すように、各リンク機構５０は、吊戸棚本体１１の側板１３に固定されたリンクベース５１と、昇降棚４０の側板４３に固定されたラックベース５２と、これら各ベース５１，５２に両端部がピン枢支された一対のリンクアーム５３，５４等により構成されている。
【００２７】
以上実施形態の吊戸棚１０によれば、吊戸棚本体１１内に昇降棚２０が格納された状態で、グリップハンドル２２とストッパハンドル３２を一緒に握ると、ストッパハンドル３２が下方に押し下げられ、ラックギヤ２５の各歯部２５ａとストッパ３１の係止爪部３１ｂとの係止状態が解除される。これにより、昇降棚２０は一方の開き扉１７の裏面１７ａにベース２４を介して取り付けられたスライドレール２６に沿って下方に引き出し可能な状態となる。
【００２８】
このように、一方の開き扉１７の裏面１７ａに昇降棚２０を昇降動自在に取り付けたことにより、吊戸棚本体１１の下面前側開口部１１ｂから昇降棚２０を下方に引き出した状態で、図示しない被収納物を簡単に出し入れすることができ、使い勝手が非常に良い。
【００２９】
また、吊戸棚本体１１の下面前側開口部１１ｂから昇降棚２０を下方に引き出し自在にしたことにより、吊戸棚本体１１の前面開口部１１ａ側、即ち、吊戸棚本体１１の下面前側開口部１１ｂのスペースを有効に利用することができる。
【００３０】
また、図６に示すように、昇降棚２０の下部に水平棚３５を着脱自在に取り付け、昇降棚２０の収納時に底板１５の前方に水平棚３５を位置させ、かつ、水平棚３５と底板１５との間に防虫部材１９を介在したことにより、吊戸棚本体１１内にゴキブリ等の害虫が侵入するのを確実に防止することができる。
【００３１】
さらに、図７に示すように、吊戸棚本体１１内に他の昇降棚４０を収納自在にすると共に、該他の昇降棚４０を吊戸棚本体１１の前面開口部１１ａから下方に引き出し自在にしたことにより、吊戸棚本体１１内のスペースをより有効に利用することができ、大量の被収納物を簡単に出し入れすることができ、使い勝手が非常に良い。
【００３２】
図８は本発明の別の実施形態の吊戸棚を示す断面図である。
【００３３】
この別の実施形態の吊戸棚１０′は、ボックスタイプの昇降棚６０を有している。即ち、昇降棚６０は、背板６２と両側板６３，６３と天板６４及び底板６５とで前面開口部６１を有した箱形に形成してある。この箱形の昇降棚６０の収納時に吊戸棚本体１１の底板１５の前方に該昇降棚６０の底板６５を位置させ、かつ、昇降棚６０の底板６５と吊戸棚本体１１の底板１５との間に防虫部材１９を介在してある。即ち、吊戸棚本体１１の底板１５の前端面には防虫部材１９を接着剤等により固定してある。尚、他の構成は、前記実施形態と同様であるため、同一構成部分に同一符号を付して詳細な説明は省略する。
【００３４】
以上、この吊戸棚１０′によれば、昇降棚６０を背板６２と両側板６３，６３と天板６４及び底板６５とで前面開口部６１を有した箱形に形成し、この箱形の昇降棚６０の収納時に吊戸棚本体１１の底板１５の前方に該昇降棚６０の底板６５を位置させ、かつ、昇降棚６０の底板６５と吊戸棚本体１１の底板１５との間に防虫部材１９を介在したことにより、吊戸棚本体１１内及び箱形の昇降棚６０内にゴキブリ等の害虫が侵入するのを確実に防止することができる。
【００３５】
尚、前記各実施形態によれば、両開き扉の一方の開き扉の裏面に昇降棚を昇降動自在に設けたが、両開き扉の両方の裏面に昇降棚をそれぞれ昇降動自在に設けて良い。また、前記各実施形態によれば、両開き扉の場合について説明したが、片開き扉の場合に前記各実施形態を適用できることは勿論である。さらに、前記別の実施形態によれば、前面を開口させた箱形の昇降棚を用いたが、後面を開口させた箱形の昇降棚を用いても良い。また、上記実施形態では、開き扉を例にとり説明したが、底板をなくした吊戸棚の前面開口部に、扉が開かないように取り付け、扉の裏面と吊戸棚の背板側に昇降棚を夫々垂直に昇降動自在に設けても良い。
【図面の簡単な説明】
【００３６】
【図１】本発明の実施形態の吊戸棚を示す斜視図である。
【図２】上記吊戸棚に用いられる昇降棚の斜視図である。
【図３】上記昇降棚の正面図である。
【図４】上記昇降棚の側面図である。
【図５】上記昇降棚に用いられるロック機構の説明図である。
【図６】上記吊戸棚の断面図である。
【図７】上記吊戸棚から他の昇降棚を引き出した状態を示す断面図である。
【図８】本発明の別の実施形態の吊戸棚を示す断面図である。
【図９】従来の吊戸棚の斜視図である。
【符号の説明】
【００３７】
１０，１０′  吊戸棚
１１  吊戸棚本体
１１ａ  前面開口部
１１ｂ  下面前側開口部
１２  背板
１３，１３  両側板
１４  天板
１５  底板
１７  開き扉
１７ａ  裏面
１９  防虫部材
２０  昇降棚
３５  水平棚
４０  他の昇降棚
６０  箱形の昇降棚
６２  背板
６３，６３  両側板
６４  天板
６５  底板
【図１】
2007313227.tif 000003
【図２】
2007313227.tif 000004
【図３】
2007313227.tif 000005
【図４】
2007313227.tif 000006
【図５】
2007313227.tif 000007
【図６】
2007313227.tif 000008
【図７】
2007313227.tif 000009
【図８】
2007313227.tif 000010
【図９】
2007313227.tif 000011